(57)【要約】本発明は、固定用スタッド（１）を備えたアセンブリに関し、固定用スタッド（１）は、スタッド（１）と共に回転し組み立て対象の部品（６）のうち一方のエッジ（１０）に載る支持面（１９）が配設されたロック用キー（１１）によって保持されている。破損のリスクなく、また同時に、スタッドの過度のねじ込みを回避しながら、十分な締め付けトルクが導入され得る。
2018527523.tif 000002
【特許請求の範囲】
【請求項１】
固定用スタッド（１）と、前記スタッドが中を通過する２つの重ね合わせたフランジ（８，９）と、前記フランジ（９）のうち一方に従属し、前記スタッドの一端（２）がねじ込まれるナット（１３）と、前記スタッドの対向端（３）にねじ込まれる締付ナット（１４）と、前記締付ナット（１４）と他方のフランジ（８）の間に締め付けられるロック用レンチ（１１）を備えたアセンブリであって、前記ロック用レンチは、穴（１６）が配設された本体（１７）を備え、前記穴は非円形の断面を有して、前記スタッドの対応する断面部分（１４）用に占有され、前記本体（１７）が、前記スタッド（１）に対して垂直方向に前記他方のフランジ（８）の縁（１０）を越えて延出する部分（１８）を通って延長され、次に、前記本体からスタッドの方向に突出して前記縁（１０）の正面に延在する部分（１９）によって延長されることを特徴とするアセンブリ。
【請求項２】
前記フランジ（８，９）は、前記フランジによって互いに組み立てられるタービンケース（６，７）に属することを特徴とする請求項１に記載のアセンブリ。
【請求項３】
前記本体から突出する部分は、前記他方のフランジ上に一対の分離したジャーナルを備えることを特徴とする請求項１または２のいずれかに記載のアセンブリ。
【請求項４】
前記ジャーナルは、前記他方のケースの方向に向いた、丸みを帯びた輪郭（２０）を備えることを特徴とする請求項３に記載のアセンブリ。
【請求項５】
前記本体（１７）の延長部である前記部分（１８）は、２つの分離したウイングからなり、それぞれが前記ジャーナル（２０）のうち一方を担持することを特徴とする請求項３に記載のアセンブリ。
【発明の詳細な説明】
【技術分野】
【０００１】
本発明の対象は、ロックされた固定用スタッドを備えたアセンブリである。
【０００２】
このような構成は、互いに近接した平坦な円形フランジが配設されたタービンの２つの円形のケースの固定に適用され得る。スタッドはこれらのフランジの穴を貫通して、フランジのうち一方に一体化された拘束ナット（ｃａｐｔｉｖｅ  ｎｕｔ）内に、一端部を介してねじ込まれる。スタッドの反対側端部は締付ナットを受け入れ、それによりフランジは互いに対して締め付けられる。
【０００３】
そのようなアセンブリは、例えば使用振動による意図的な緩みがないように保護するための十分な締め付け力で保持されていなければならない。事前に規定されたねじ締めトルクをかけるためにトルクツールが用いられ得る。緩み方向の回転を抑止するためにロック用レンチも追加されてもよい。ロック用レンチは、その殆どの一般的形態において、スタッドが配置された後で閉塞するためにスタッドに接触する部品である。既知の形態では、スタッドは例えば六角形である多角形の断面部分を含み、レンチは、締付ナットがインストールされる前に一対の連続したスタッド上に挿入される、同様に六角形である断面を備えた一対のフィンガープリントを備えた小型の板形状である。スタッドはレンチの両端を保持し、それによりレンチが回転することを防止し、レンチはスタッドそれぞれを保持する（特許文献１による）。
【先行技術文献】
【特許文献】
【０００４】
【特許文献１】米国特許第６６４１３２６号明細書
【発明の概要】
【発明が解決しようとする課題】
【０００５】
この設計の第１の欠点は、スタッドが所定の、可能ならば均一なギャップを有していなければならず、さもなければレンチの大量の幅が必要となり得るということである。しかし、そのような均一なギャップは、固定リングの一部が、流体チューブまたはプローブ等のその他の装置部品に保持されなければならない場合には不可能である。頻出するもう１つの欠点は、レンチまたはフランジなどのアセンブリの何らかの部分を破損するリスクなしに締め付けトルクをかけることが難しいということである。もう１つのリスクは、拘束ナットへのスタッドのねじ込みが過度であった場合、例えば、スタッドの大径の部分がナットに衝突した場合に、ナットも破損する可能性があるということである。
【課題を解決するための手段】
【０００６】
本発明の対象は、これまでに説明した種のアセンブリであり、そのアセンブリでは、単一のスタッドに関連付けられた個々のロック用レンチが追加されており、それが、アセンブリの剛性を保障するために十分な締め付けトルクがかかることを可能にし、また、この締め付け中に破損を受けることも、隣接する部品を破損する可能性もなく、また、不用意なスタッドの過度のねじ込みをも避けることができる。
【０００７】
一般的な形式では、本発明は固定用スタッドと、スタッドが中を通過する２つの重ね合わせたフランジと、フランジのうち一方に従属し、スタッドの一端がねじ込まれるナットと、スタッドの反対側にねじ込まれる締付ナットと、締付ナットと他方のフランジの間に締め付けられるロック用レンチを備えたアセンブリからなり、ロック用レンチは、穴が配設された本体を備え、穴は非円形の断面を有して、スタッドの対応する断面部分用に占有され、本体が、スタッドに対して垂直方向に前記他方のフランジの縁を越えて延出する部分を通って延長され、次に、前記本体からスタッドの方向に突出して前記縁の正面に延在する部分によって延長されることを特徴とする。
【０００８】
突出部は、レンチがスタッド上にインストールされた後は、フランジに当接することによってスタッドの限度のある角回転を可能にする。こうして、拘束ナットを破損する可能性があり、よって構造が完全に解体してこのナットを交換する可能性をもたらす、過度のスタッドのねじ込みが回避される。しかしながら、指定された締め付けトルクがスタッドにかかることができ、重荷は主に、ロック用レンチと、フランジの一部およびそれに隣接したスタッドに存在し、これらの部分は耐性をもつような寸法となっている。ロック用レンチをスタッド上で調節することは最終的に容易である。
【０００９】
特に好ましくは、本体の突出部は、ロック用レンチの位置およびその許容される角すきまを最初から保証するために、前記他方のフランジ上に一対の離間したジャーナルを備える。
【００１０】
ジャーナルは有利には、フランジに破損を与えないように設計され、したがって、ジャーナルは丸みを帯びた輪郭を備え得る。
【００１１】
ここで本発明を、その実施形態を表す図に関連して、異なる態様、特徴および利点に基づいて説明する。
【図面の簡単な説明】
【００１２】
【図１】アセンブリの断面図である。
【図２】これらのアセンブリを多数備えた全体デバイスの斜視図である。
【図３】ケース上のロック用レンチのジャーナルのより詳細な図である。
【図４】ロック用レンチの斜視図である。
【図５】ロック用レンチの斜視図である。
【図６】分離されたスタッドの図である。
【発明を実施するための形態】
【００１３】
図１のアセンブリは、両端部２および３がねじ状であるスタッド１を備え、スタッド１のロッドは端部２と３の間に六角形断面中間部（六角形部４）と拡径部５を備えている。スタッド１は、円形と平坦なフランジ８または９をそれぞれ備えた組み立てられた２つのケース６および７に用いられ、このため、スタッド１はフランジ８および９の整列した穴に貫通して、それらを重ね合わせた状態で保持する。一方のケース６のフランジ８は、他方のケース７に当接する円筒形のセンタリング縁１０を備える。アセンブリはさらに、本発明の主要な態様であるロック用レンチ１１も備え、航空術で非常によく使われる、図示しない機器の支持体１２を備える可能性もあり、また、２つのナット１３および１４を備え、ナット１３は、他方のケース６の方向に広がる円錐形スカート１５によってケース７内に圧着される拘束ナットであり、ナット１４は締付ナットである。第１端部２は拘束ナット１３内にねじ込まれ、拡径部５はスカート１５付近にあり、六角形部４はロック用レンチ１１のフィンガープリント１６（図４および５に示す）に配置され、締付ナット１４は、対向端３上にねじ込むことによって係合され、フランジ９，８、ロック用レンチ１１および支持体１２は、拘束ナット１３から締付ナット１４に向かってこの順に締め付けられる。
【００１４】
取り付けた状態において、拡径部５の後部リッジの前稜部はスカート１５に接近しており、よってスタッド１が過度にねじ込まれると、スカート１５と擦れ合ってスカート１５を破損する可能性があり、したがって、拘束ナット１３を破損する可能性がある。ロック用レンチ１１はこの状況を予防する。
【００１５】
ロック用レンチ１１は、図２、３、４および５に示されている。ロック用レンチ１１は、フィンガープリント１６が埋設された厚い小板形状の本体１７を備えている。フィンガープリント１６は、六角形部４を多少の余裕を持って収容できるがフィンガープリント１６と六角形部４が相対回転することを防止するような六角形断面を有する。本体１７はさらに、２つの分離したウイング１８も備え、それらは、本体１７の主延在面に含まれる、隣り合って同方向に突出する本体の延長部であり、この方向は、取り付け位置において、外側半径方向であり、その結果、ウイング１８はロック用レンチ１１に隣接するケース６のフランジ８から突出し、ウイング１８が終端する縁１０の平面から突出する。ウイング１８の端部は、組み立て開始状態において、縁１０の周面に十分接近して丁度上にある縁１９において湾曲している。完全組み立て状態において、図３の位置取りが観察され、そこでロック用レンチ１１はわずかに弾き上がっており、縁１９のうち一方（この図３では右側の方）はケース６の縁１０に当接している。縁１９は、丸みを帯びたジャーナル２０で形成され、それが、小さすぎる面積への接触と、過度の応力集中を回避する。
【００１６】
組み立てモードは以下の通りである。フランジ８および９が重ね合わせられ、両者の穴が整列され、スタッド１それぞれがフランジ８の穴内の端部２を通って導入され、次に、フランジ９の穴内を通り、端部２は拘束ナット１３にねじ込まれる。拡径部５がスカート１５に達すると、ねじ込みは即座に中断されて、スタッド１は反対に若干量、例えば８巻き分等の特定量だけねじ戻される。ロック用レンチ１１が導入され、するとスタッド１は再びねじ込まれて、トルクツールを設定することによって特定のトルクで締め付けられ、フランジ８の縁１０に、丸みを帯びたジャーナル２０のうち一方が接し、図３の状態が達成されるまでロック用レンチ１１は、弾き上がっている。この再ねじ込み動作は、拡径部５の稜部がスカート１５に再び接するには不十分である。こうして、拘束ナット１３に過度の応力や破損が及ぶことはない。それにより支持体１２は、予見できる場合にインストールされることができ、次に締付ナット１４がねじ込まれる。アセンブリを緩める場合には、スタッド１の回転は、他方のジャーナル２０を縁１０に当接させる小さな角度に制限される。
【００１７】
本発明によるロック用レンチ１１の大きな利点は、単一のスタッド１と関連しており、不測の事態なく容易にインストールされ得るということである。本発明によるロック用レンチ１１の抵抗力は中程度質量に十分である。これらの両要求の妥協を最適化することを可能にするいくつかの設計の詳細に言及する：ウイング１８と縁１９をつなぐ外面上に設置された面取り部２１およびそれらの内面につながる丸みを帯びた部分２２、より厚みが少ない、ウイング１８との接続部の、本体１７の両面上に設置された他方の面取り部２３および２４、このエッジの中央かつウイング１８の間に、本体１７の外側半径方向エッジの中央に配設された一定曲げ半径を備えた凹面２５、ウイング１８に対して互いに遠ざかる方向に延在する２つの側面２６によって区切られた本体１７の略三角形状、および、一般的に、面取り部によっても置き換えられる、鋭角過ぎる接続角の排除。
【符号の説明】
【００１８】
１  スタッド
２，３  スタッドの端部
４  六角形部
５  拡径部
６，７  ケース
８，９  フランジ
１０  センタリング縁
１１  ロック用レンチ
１２  支持体
１３，１４  ナット
１５  スカート
１６  フィンガープリント
１７  本体
１８  ウイング
１９  縁
２０  ジャーナル
２１  面取り部
２２  丸みを帯びた部分
２３，２４  他方の面取り部
２５  凹面
２６  側面
【図１】
2018527523.tif 000003
【図２】
2018527523.tif 000004
【図３】
2018527523.tif 000005
【図４】
2018527523.tif 000006
【図５】
2018527523.tif 000007
【図６】
2018527523.tif 000008
【国際調査報告】
2018527523.tif 000009
2018527523.tif 000010
2018527523.tif 000011
2018527523.tif 000012